(57)【特許請求の範囲】
【請求項１】
カラオケ信号と第１の音声信号と第２の音声信号を再生する音声再生回路と、前記音声再生回路から出力された第１の音声信号と第２の音声信号を加算して出力する第１の加算回路と、２本のマイクロフォンからの信号を加算して出力する第２の加算回路と、前記音声再生回路から出力された第１の音声信号と第２の音声信号のいずれに音声信号を含んでいるかを判定する音声検出回路と、前記第１の加算回路から出力された信号と前記第２の加算回路からの信号とを比較して前記音声検出回路が検出した方の音声信号の結果として出力する採点回路とを備えたことを特徴とするカラオケ装置。
【発明の詳細な説明】
【０００１】
【発明の属する技術分野】
本発明はデュエット曲の片方のパートを歌う場合でも歌唱力を採点することができるようにしたカラオケ装置に関するものである。
【０００２】
【従来の技術】
従来より、採点機能付きのカラオケ装置が利用され、カラオケ装置の１機能として人気を博している。
【０００３】
以下、図面を参照しながら、従来のカラオケ装置について説明を行う。
図６は従来のカラオケ装置の構成図を示すものである。図６において、６０１はカラオケ信号Ｋとカラオケ信号と模範歌唱が加算された音声信号ＫＶを再生する音声再生回路、６０２は歌唱を入力するマイクロフォン、６０３はマイクロフォン６０２の出力信号を増幅するマイクアンプ回路、６０４は音声再生回路６０１が出力したカラオケ信号Ｋとマイクアンプ回路６０３の出力とを加算する加算回路、６０５は加算回路６０４の出力信号を拡声するスピーカ、６１６は音声再生回路６０１が出力したカラオケ信号と模範歌唱が加算された音声信号ＫＶからカラオケ信号Ｋを減算して模範歌唱の信号を出力する減算回路、６０８はマイクアンプ回路６０３の出力と減算回路６１６の出力とを比較する採点回路、６０９は採点回路６０８の採点結果を表示する表示回路である。
【０００４】
以上のように構成されたカラオケ装置について、以下その動作について説明する。
【０００５】
まず音声再生回路６０１がカラオケ対応のビデオＣＤ等に記録されている音声信号を再生し、カラオケ信号Ｋとカラオケ信号と模範歌唱が加算された音声信号ＫＶを再生する。次にカラオケ装置の利用者がマイクロフォン６０２から歌唱を入力し、マイクアンプ回路６０３がマイクロフォン６０２の出力信号を増幅し、加算回路６０４が音声再生回路６０１が出力したカラオケ信号Ｋとマイクアンプ回路６０３の出力信号とを加算し、スピーカ６０５が加算回路６０４の出力信号を拡声する。そして減算回路６１６が音声再生回路６０１が出力したカラオケ信号と模範歌唱が加算された音声信号ＫＶからカラオケ信号Ｋを減算して模範歌唱の信号を採点回路６０８に出力し、採点回路６０８はマイクアンプ回路６０３の出力信号を減算回路６１６が出力した模範歌唱と比較し、その類似度を採点結果として表示回路６０９へ出力する。ここで採点回路６０８の方法は既に公知であり、例えばマイクアンプ回路６０３の出力信号と減算回路６１６が出力した模範歌唱とから、それぞれの基本周波数を抽出して比較する方法がある。
【０００６】
【発明が解決しようとする課題】
しかしながら、上記のような構成では、例えばデュエットの曲の場合には、減算回路６１６が出力する模範歌唱の信号には２人の音声信号が含まれるので、マイクアンプ回路６０３の出力信号にも２人の音声信号が入っていないと採点回路６０８が正しく採点できないという課題を有していた。
【０００７】
本発明は上記課題に鑑み、デュエットの曲の場合でも片方の歌唱の採点をすることのできるカラオケ装置を提供するものである。
【０００８】
【課題を解決するための手段】
この目的を達成するために本発明のカラオケ装置は、カラオケ信号と第１の音声信号と第２の音声信号を再生する音声再生回路と、前記音声再生回路から出力された第１の音声信号と第２の音声信号を加算して出力する第１の加算回路と、２本のマイクロフォンからの信号を加算して出力する第２の加算回路と、前記音声再生回路から出力された第１の音声信号と第２の音声信号のいずれに音声信号を含んでいるかを判定する音声検出回路と、前記第１の加算回路から出力された信号と前記第２の加算回路からの信号とを比較して前記音声検出回路が検出した方の音声信号の結果として出力する採点回路から構成されている。
【０００９】
この構成によって、切り換え回路が音声再生回路から出力された第１の音声信号と第２の音声信号の一方を選択して採点回路に出力するので、デュエットの曲の場合でも片方の歌唱の採点が可能となる。
【００１０】
【発明の実施の形態】
本発明の請求項１に記載の発明は、カラオケ信号と第１の音声信号と第２の音声信号を再生する音声再生回路と、前記音声再生回路から出力された第１の音声信号と第２の音声信号を加算して出力する第１の加算回路と、２本のマイクロフォンからの信号を加算して出力する第２の加算回路と、前記音声再生回路から出力された第１の音声信号と第２の音声信号のいずれに音声信号を含んでいるかを判定する音声検出回路と、前記第１の加算回路から出力された信号と前記第２の加算回路からの信号とを比較して前記音声検出回路が検出した方の音声信号の結果として出力する採点回路とを備えたことを特徴とするカラオケ装置としたものであり、デュエットの曲でも一つの採点回路で利用者１と利用者２の両方の利用者の歌唱の歌唱力を採点することができるという作用を有する。
【００１７】
以下本発明の第１の実施の形態について、図１を参照しながら説明する。
図１は本発明の第１の実施の形態におけるカラオケ装置の構成図を示すものである。図１において、１０１はカラオケ信号Ｋと第１の模範歌唱ＧＶ１と第２の模範歌唱ＧＶ２を再生する音声再生回路、１０６は音声再生回路１０１が出力した第１の模範歌唱ＧＶ１と第２の模範歌唱ＧＶ２を切り換えて信号Ｄと信号Ｒを出力する切り換え回路、１１１は切り換え回路１０６を構成する第１のスイッチ回路、１１２は切り換え回路１０６を構成する第２のスイッチ回路、１１０は切り換え回路１０６を制御する第３のスイッチ回路、１０７は音声再生回路１０１が出力したカラオケ信号Ｋに切り換え回路１０６が出力した信号Ｄを加算する第１の加算回路、１０２は歌唱を入力するマイクロフォン、１０３はマイクロフォン１０２の出力信号を増幅するマイクアンプ回路、１０４は第１の加算回路１０７の出力信号にマイクアンプ回路１０３の出力を加算する第２の加算回路、１０５は第２の加算回路１０４の出力信号を拡声するスピーカ、１０８はマイクアンプ回路１０３の出力信号と切り換え回路１０６の出力信号Ｒとを比較する採点回路、１０９は採点回路１０８の採点結果を表示する表示回路である。
【００１８】
以上のように構成されたカラオケ装置について、以下その動作について説明する。
【００１９】
まず音声再生回路１０１がカラオケ信号Ｋと第１の模範歌唱ＧＶ１と第２の模範歌唱ＧＶ２を再生する。次に切り換え回路１０６はカラオケ装置の利用者が設定した第３のスイッチ回路１１０に基づいて音声再生回路１０１が出力した第１の模範歌唱ＧＶ１と第２の模範歌唱ＧＶ２を切り換えて信号Ｄと信号Ｒを出力する。つまり利用者が第１の歌唱のパートを歌う場合には、第３のスイッチ回路１１０をＶ１側に倒すことにより、切り換え回路１０６内の第１のスイッチ回路１１１と第２のスイッチ回路１１２は下側に倒れ、切り換え回路１０６は出力信号Ｄとして利用者が歌わない方の第２の模範歌唱ＧＶ２を出力し、出力信号Ｒとして利用者が歌う方の第１の模範歌唱ＧＶ１を出力する。また利用者が第２の歌唱のパートを歌う場合には第１のスイッチ回路１１１と第２のスイッチ回路１１２と第３のスイッチ回路１１０は全て上側に倒れ、切り換え回路１０６は出力信号Ｄとして利用者が歌わない方の第１の模範歌唱ＧＶ１を出力し、出力信号Ｒとして利用者が歌う方の第２の模範歌唱ＧＶ２を出力する。そして第１の加算回路１０７が音声再生回路１０１が出力したカラオケ信号Ｋに切り換え回路１０６が出力した利用者が歌わない方の第１の模範歌唱である信号Ｄを加算し、第２の加算回路１０４が第１の加算回路１０７の出力信号に利用者の歌った信号であるマイクアンプ回路１０３の出力を加算し、スピーカ１０５は第２の加算回路１０４の出力信号を拡声して出力する。また採点回路１０８は利用者の歌った信号であるマイクアンプ回路１０３の出力信号と利用者が歌う方の模範歌唱である切り換え回路１０６の出力信号Ｒとを比較し、その類似度を得点として表示回路１０９へ出力する。
【００２０】
以上のように本実施の形態によれば、利用者の設定した第３のスイッチ回路１１０の出力に基づいて、音声再生回路が出力した第１の模範歌唱ＧＶ１と第２の模範歌唱ＧＶ２を切り換えて、出力信号Ｄとして第１の加算回路１０７に出力し、出力信号Ｒとして採点回路１０８に出力する切り換え回路１０６を設けることにより、利用者が歌わない方の模範歌唱はスピーカ１０５から拡声されるので、１人でも模範歌唱を相手としてデュエットを楽しむことができ、利用者が歌う方の模範歌唱は採点回路１０８に出力されるので、利用者の歌唱の歌唱力を採点することができる。
【００２１】
なお本実施の形態では、利用者が第１の歌唱のパートを歌うのか第２の歌唱のパートを歌うのかを、第３のスイッチ回路１１０の設定に基づいて決めているが、これはマイクロフォンの挿入の有無あるいは信号の有無によって切り換えるようにしても良い。これにより採点回路１０８への信号と第１の加算回路１０７への信号を切り換える切り換え回路１０６への制御信号が自動的に作成されることとなる。
【００２２】
なお本実施の形態では、第１の加算回路１０７が音声再生回路１０１が出力したカラオケ信号Ｋに切り換え回路１０６が出力した利用者が歌わない方の模範歌唱である信号Ｄを加算しているが、第１の加算回路１０７はなくてもよい。この場合には模範歌唱である信号Ｄはスピーカ１０５から拡声されないが、利用者２人でデュエットを実際に楽しむことができ、一方の利用者の歌だけが採点されることとなる。
【００２３】
なお本実施の形態では、利用者が第１の歌唱のパートを歌うのか第２の歌唱のパートを歌うのかを、第３のスイッチ回路１１０に設定して、それに基づいて切り換え回路１０６の状態を変えているが、第３のスイッチ回路１１０にもう１つのモードを追加して、その時には切り換え回路１０６からは出力信号Ｄと出力信号Ｒのいずれも出力しないようにしても良い。これにより採点機能は動作しないが、２人の利用者でデュエットを楽しむことができることとなる。
【００２４】
以下本発明の第２の実施の形態について、図面を参照しながら説明する。
図２は本発明の第２の実施の形態におけるカラオケ装置の構成図を示すものである。図２において、２０１はカラオケ信号Ｋと模範歌唱ＧＶを再生する音声再生回路、２０７は音声再生回路２０１が出力したカラオケ信号Ｋにレベル調整回路２１３が出力した信号ＧＶ’を加算する第１の加算回路、２０２は歌唱を入力するマイクロフォン、２０３はマイクロフォン２０２の出力信号を増幅するマイクアンプ回路、２０４は第１の加算回路２０７の出力信号にマイクアンプ回路２０３の出力を加算する第２の加算回路、２０５は第２の加算回路２０４の出力信号を拡声するスピーカ、２１２はマイクアンプ回路２０３の出力信号と音声再生回路２０１の出力信号ＧＶとを比較する比較回路、２１３は比較回路２１２の比較結果に応じて音声再生回路２０１が出力した模範歌唱ＧＶのレベルを調節して信号ＧＶ’を出力するレベル調整回路である。
【００２５】
以上のように構成されたカラオケ装置について、以下その動作について説明する。
【００２６】
まず音声再生回路２０１がカラオケ信号Ｋと模範歌唱ＧＶを再生する。次に比較回路２１２は利用者の歌った信号であるマイクアンプ回路２０３の出力信号と模範歌唱である音声再生回路２０１の出力信号ＧＶとを比較し、その類似度をレベル調整回路２１３へ出力する。そしてレベル調整回路２１３は比較回路２１２の出力に応じて、利用者の歌と模範歌唱の類似度が高い場合には、音声再生回路２０１の出力信号ＧＶのレベルを下げてＧＶ’として出力し、利用者の歌と模範歌唱の類似度が低い場合には、音声再生回路２０１の出力信号ＧＶのレベルを上げてＧＶ’として出力する。第１の加算回路２０７が音声再生回路２０１が出力したカラオケ信号Ｋにレベル調整回路２１３の出力信号ＧＶ’を加算し、第２の加算回路２０４が第１の加算回路２０７の出力信号に利用者の歌った信号であるマイクアンプ回路２０３の出力を加算し、スピーカ２０５は第２の加算回路２０４の出力信号を拡声して出力する。
【００２７】
以上のように本実施の形態によれば、マイクアンプ回路２０３の出力信号と音声再生回路２０１の出力信号ＧＶとを比較する比較回路２１２と、比較回路２１２の比較結果に応じて音声再生回路２０１が出力した模範歌唱ＧＶのレベルを調節して信号ＧＶ’を出力するレベル調整回路２１３と、音声再生回路２０１が出力したカラオケ信号Ｋにレベル調整回路２１３が出力した信号ＧＶ’を加算する第１の加算回路を設けることにより、比較回路２１２は利用者の歌った信号であるマイクアンプ回路２０３の出力信号と模範歌唱である音声再生回路２０１の出力信号ＧＶとを比較し、レベル調整回路２１３は利用者の歌と模範歌唱ＧＶの類似度が高い場合には、音声再生回路２０１の出力信号ＧＶのレベルを下げてＧＶ’として出力し、利用者の歌と模範歌唱ＧＶの類似度が低い場合には、音声再生回路２０１の出力信号ＧＶのレベルを上げてＧＶ’として出力し、第１の加算回路２０７が音声再生回路２０１が出力したカラオケ信号Ｋにレベル調整回路２１３の出力信号ＧＶ’を加算するので、利用者の歌が上手い場合には模範歌唱はあまり出力されず、利用者の歌が下手な場合には模範歌唱は大きいレベルで出力されることとなり、歌の上手さに応じて利用者が歌うことを支援することができる。
【００２８】
以下本発明の第３の実施の形態について、図面を参照しながら説明する。
図３は本発明の第３の実施の形態におけるカラオケ装置の構成図を示すものである。図３において、３０１はカラオケ信号Ｋと模範歌唱ＧＶと歌唱パートをメロディー演奏したガイドメロディーＧＭを再生する音声再生回路、３０７は音声再生回路３０１が出力したカラオケ信号Ｋにレベル調整回路３１３が出力した信号ＧＭ’を加算する第１の加算回路、３０２は歌唱を入力するマイクロフォン、３０３はマイクロフォン３０２の出力信号を増幅するマイクアンプ回路、３０４は第１の加算回路３０７の出力信号にマイクアンプ回路３０３の出力を加算する第２の加算回路、３０５は第２の加算回路３０４の出力信号を拡声するスピーカ、３１２はマイクアンプ回路３０３の出力信号と音声再生回路３０１の出力信号である模範歌唱ＧＶとを比較する比較回路、３１３は比較回路３１２の比較結果に応じて音声再生回路３０１が出力したガイドメロディーＧＭのレベルを調節して信号ＧＭ’を出力するレベル調整回路である。
【００２９】
以上のように構成されたカラオケ装置について、以下その動作について説明する。
【００３０】
まず音声再生回路３０１がカラオケ信号Ｋと模範歌唱ＧＶとガイドメロディーＧＭを再生する。次に比較回路３１２は利用者の歌った信号であるマイクアンプ回路３０３の出力信号と模範歌唱である音声再生回路３０１の出力信号ＧＶとを比較し、その類似度をレベル調整回路３１３へ出力する。そしてレベル調整回路３１３は比較回路３１２の出力に応じて、利用者の歌と模範歌唱の類似度が高い場合には、音声再生回路３０１の出力信号ＧＭのレベルを下げてＧＭ’として出力し、利用者の歌と模範歌唱の類似度が低い場合には、音声再生回路３０１の出力信号ＧＭのレベルを上げてＧＭ’として出力する。第１の加算回路３０７が音声再生回路３０１が出力したカラオケ信号Ｋにレベル調整回路３１３の出力信号ＧＭ’を加算し、第２の加算回路３０４が第１の加算回路３０７の出力信号に利用者の歌った信号であるマイクアンプ回路３０３の出力を加算し、スピーカ３０５は第２の加算回路３０４の出力信号を拡声して出力する。
【００３１】
以上のように本実施の形態によれば、マイクアンプ回路３０３の出力信号と音声再生回路３０１の出力信号ＧＶとを比較する比較回路３１２と、比較回路３１２の比較結果に応じて音声再生回路３０１が出力したガイドメロディーＧＭのレベルを調節して信号ＧＭ’を出力するレベル調整回路３１３と、音声再生回路３０１が出力したカラオケ信号Ｋにレベル調整回路３１３が出力した信号ＧＭ’を加算する第１の加算回路を設けることにより、比較回路３１２は利用者の歌った信号であるマイクアンプ回路３０３の出力信号と模範歌唱である音声再生回路３０１の出力信号ＧＶとを比較し、レベル調整回路３１３は利用者の歌と模範歌唱ＧＶの類似度が高い場合には、音声再生回路３０１の出力信号ＧＭのレベルを下げてＧＭ’として出力し、利用者の歌と模範歌唱ＧＶの類似度が低い場合には、音声再生回路３０１の出力信号ＧＭのレベルを上げてＧＭ’として出力し、第１の加算回路３０７が音声再生回路３０１が出力したカラオケ信号Ｋにレベル調整回路３１３の出力信号ＧＭ’を加算するので、利用者の歌が上手い場合にはガイドメロディーはあまり出力されず、利用者の歌が下手な場合にはガイドメロディーは大きいレベルで出力されることとなり、歌の上手さに応じて利用者が歌うことを支援することができる。
【００３２】
以下本発明の第４の実施の形態について、図面を参照しながら説明する。
図４は本発明の第４の実施の形態におけるカラオケ装置の構成図を示すものである。図４において、４０１はカラオケ信号Ｋと第１の模範歌唱ＧＶ１と第２の模範歌唱ＧＶ２を再生する音声再生回路、４０６は音声再生回路４０１が出力した第１の模範歌唱ＧＶ１と第２の模範歌唱ＧＶ２を切り換えて信号を出力する切り換え回路、４１１は切り換え回路４０６を構成する第１のスイッチ回路、４１２は切り換え回路４０６を構成する第２のスイッチ回路、４１４は切り換え回路４０６を構成する第３の加算回路、４１０は切り換え回路４０６を制御する第３のスイッチ回路、４０７は音声再生回路４０１が出力したカラオケ信号Ｋに切り換え回路４０６が出力した信号を加算する第１の加算回路、４０２は歌唱を入力するマイクロフォン、４０３はマイクロフォン４０２の出力信号を増幅するマイクアンプ回路、４０４は第１の加算回路４０７の出力信号にマイクアンプ回路４０３の出力を加算する第２の加算回路、４０５は第２の加算回路４０４の出力信号を拡声するスピーカ、４１５は第３のスイッチ回路４１０により制御され映像信号を再生する映像再生回路、４０９は映像再生回路４１５の出力した映像信号を表示する表示回路である。
【００３３】
以上のように構成されたカラオケ装置について、以下その動作について説明する。
【００３４】
まず音声再生回路４０１がカラオケ信号Ｋと第１の模範歌唱ＧＶ１と第２の模範歌唱ＧＶ２を再生する。次に切り換え回路４０６はカラオケ装置の利用者が設定した第３のスイッチ回路４１０に基づいて音声再生回路４０１が出力した第１の模範歌唱ＧＶ１と第２の模範歌唱ＧＶ２を切り換えて信号を出力する。つまり利用者が第１の歌唱のパートを歌う場合には、第３のスイッチ回路４１０をＶ１側に倒すことにより、切り換え回路４０６内の第１のスイッチ回路４１１と第２のスイッチ回路４１２は下側に倒れ、切り換え回路４０６は出力信号として利用者が歌わない方の第２の模範歌唱ＧＶ２を出力する。また利用者が第２の歌唱のパートを歌う場合には、第３のスイッチ回路４１０をＶ２側に倒すことにより、切り換え回路４０６内の第１のスイッチ回路４１１と第２のスイッチ回路４１２は上側に倒れ、切り換え回路４０６は出力信号として利用者が歌わない方の第１の模範歌唱ＧＶ１を出力する。そして利用者が第１の歌唱のパートと第２の歌唱のパートの両方を歌う場合には、第３のスイッチ回路４１０をＢ側に倒すことにより、切り換え回路４０６内の第１のスイッチ回路４１１は下側に倒れ第２のスイッチ回路４１２は上側に倒れ、切り換え回路４０６は何も出力信号として出力しない。さらに利用者が第１の歌唱のパートも第２の歌唱のパートも両方とも歌わない場合には、第３のスイッチ回路４１０をＮ側に倒すことにより、切り換え回路４０６内の第１のスイッチ回路４１１は上側に倒れ第２のスイッチ回路４１２は下側に倒れ、第３の加算回路４１４は第１のスイッチ回路４１１の出力と第２のスイッチ回路４１２の出力とを加算するので、切り換え回路４０６は第１の模範歌唱ＧＶ１と第２の模範歌唱ＧＶ２の両方を出力する。そして第１の加算回路４０７が音声再生回路４０１が出力したカラオケ信号Ｋに切り換え回路４０６が出力した利用者が歌わない模範歌唱である信号を加算し、第２の加算回路４０４が第１の加算回路４０７の出力信号に利用者の歌った信号であるマイクアンプ回路４０３の出力を加算し、スピーカ４０５は第２の加算回路４０４の出力信号を拡声して出力する。また映像再生回路４１５は第３のスイッチ回路４１０の設定に応じて再生する映像信号を変える。例えば利用者が第１の歌唱のパートを歌う場合には、第２の歌唱のパートを歌う人の映像信号を再生するようにし、利用者が第２の歌唱のパートを歌う場合には、第１の歌唱のパートを歌う人の映像信号を再生するようにし、利用者が第１の歌唱のパートと第２の歌唱のパートの両方を歌う場合には、その歌に適当な風景の映像信号を再生するようにし、利用者が第１の歌唱のパートも第２の歌唱のパートも両方とも歌わない場合には、第１の歌唱のパートを歌う人と第２の歌唱のパートを歌う人の映像信号を再生するようにする。そして表示回路４０９は映像再生回路４１５の出力した映像信号を表示する。
【００３５】
以上のように本実施の形態によれば、利用者の設定した第３のスイッチ回路４１０の出力に基づいて、音声再生回路４０１が出力した第１の模範歌唱ＧＶ１と第２の模範歌唱ＧＶ２を切り換えて、第１の加算回路４０７に出力する切り換え回路４０６を設けることにより、利用者が歌わない方の模範歌唱はスピーカ４０５から拡声されるので、１人でも模範歌唱を相手としてデュエットを楽しむことができ、さらに利用者の設定した第３のスイッチ回路４１０の出力に基づいて、再生する映像信号を変える映像再生回路４１５を設けることにより、例えば利用者が歌わない方の歌唱のパートを歌う人の映像信号を再生することにより、１人でもデュエットの雰囲気を楽しむことができる。
【００３６】
なお本実施の形態では、利用者が第１の歌唱のパートを歌うのか第２の歌唱のパートを歌うのかを、第３のスイッチ回路４１０の設定に基づいて決めているが、これはマイクロフォンの挿入の有無あるいは音声再生回路４０１が出力した第１の模範歌唱ＧＶ１と第２の模範歌唱ＧＶ２の音声信号の有無によって切り換えるようにしても良い。これにより第１の加算回路４０７への信号を切り換える切り換え回路４０６への制御信号が自動的に作成されることとなる。
【００３７】
以下本発明の第５の実施の形態について、図面を参照しながら説明する。
図５は本発明の第５の実施の形態におけるカラオケ装置の構成図を示すものである。図５において、５０１はカラオケ信号Ｋと第１の模範歌唱ＧＶ１と第２の模範歌唱ＧＶ２を再生する音声再生回路、５１４は前記音声再生回路５０１が出力した第１の模範歌唱ＧＶ１と第２の模範歌唱ＧＶ２を加算して出力する第３の加算回路、５１８は前記音声再生回路５０１が出力した第１の模範歌唱ＧＶ１と第２の模範歌唱ＧＶ２のいずれに音声信号が含まれるかを判定する音声検出回路、５０２１は第１の利用者の歌唱を入力する第１のマイクロフォン、５０２２は第２の利用者の歌唱を入力する第２のマイクロフォン、５０３１は第１のマイクロフォン５０２１の出力信号を増幅する第１のマイクアンプ回路、５０３２は第２のマイクロフォン５０２２の出力信号を増幅する第２のマイクアンプ回路、５１７は第１のマイクアンプ回路５０３１の出力信号と第２のマイクアンプ回路５０３２の出力信号とを加算する第４の加算回路、５０４は音声再生回路５０１の出力したカラオケ信号Ｋに第４の加算回路５１７の出力を加算する第２の加算回路、５０５は第２の加算回路５０４の出力信号を拡声するスピーカ、５０８は音声検出回路５１８の判定結果に基づいて第３の加算回路５１４の出力信号と第４の加算回路５１７の出力信号とを比較する採点回路、５０９は採点回路５０８の採点結果を表示する表示回路である。
【００３８】
以上のように構成されたカラオケ装置について、以下その動作について説明する。
【００３９】
まず音声再生回路５０１がカラオケ信号Ｋと第１の模範歌唱ＧＶ１と第２の模範歌唱ＧＶ２を再生する。次に第３の加算回路５１４が前記音声再生回路５０１が出力した第１の模範歌唱ＧＶ１と第２の模範歌唱ＧＶ２を加算して採点回路５０８に出力する。そして音声検出回路５１８は前記音声再生回路５０１が出力した第１の模範歌唱ＧＶ１と第２の模範歌唱ＧＶ２のいずれに音声信号が含まれるかを検出し、第１の模範歌唱ＧＶ１に含まれているのか、第２の模範歌唱ＧＶ２に含まれているのか、第１の模範歌唱ＧＶ１と第２の模範歌唱ＧＶ２の両方に含まれているのか、第１の模範歌唱ＧＶ１と第２の模範歌唱ＧＶ２のいずれにも含まれていないのかという判定結果を採点回路５０８に出力する。そして第１のマイクアンプ回路５０３１は第１のマイクロフォン５０２１から入力された第１の利用者の歌唱を増幅し、第２のマイクアンプ回路５０３２は第２のマイクロフォン５０２２から入力された第２の利用者の歌唱を増幅し、第４の加算回路５１７は第１のマイクアンプ回路５０３１の出力信号と第２のマイクアンプ回路５０３２の出力信号とを加算して第２の加算回路５０４と採点回路５０８に出力する。そして第２の加算回路５０４が音声再生回路５０１の出力したカラオケ信号Ｋに第４の加算回路５１７の出力を加算し、スピーカ５０５が第２の加算回路５０４の出力信号を拡声して出力する。そして採点回路５０８は第１の利用者と第２の利用者の歌った信号である第４の加算回路５１７の出力信号と、第１の模範歌唱ＧＶ１と第２の模範歌唱ＧＶ２を加算した信号である第３の加算回路５１４の出力信号とを比較し、音声検出回路５１８の判定結果に基づいて、模範歌唱に音声信号が含まれる側の得点として、その類似度を表示回路５０９へ出力する。つまり音声検出回路５１８が、第１の模範歌唱ＧＶ１に音声信号が含まれていると判定した場合には第１の模範歌唱ＧＶ１を歌っている利用者の側の得点とし、第２の模範歌唱ＧＶ２に音声信号が含まれていると判定した場合には第２の模範歌唱ＧＶ２を歌っている利用者の側の得点とし、第１の模範歌唱ＧＶ１と第２の模範歌唱ＧＶ２の両方に音声信号が含まれていると判定した場合には第１の模範歌唱ＧＶ１を歌っている利用者と第２の模範歌唱ＧＶ２を歌っている利用者の両側の得点とし、第１の模範歌唱ＧＶ１と第２の模範歌唱ＧＶ２のいずれにも音声信号が含まれていないと判定した場合には第１の模範歌唱ＧＶ１を歌っている利用者と第２の模範歌唱ＧＶ２を歌っている利用者のいずれの得点ともしないようにする。
【００４０】
以上のように本実施の形態によれば、前記音声再生回路５０１が出力した第１の模範歌唱ＧＶ１と第２の模範歌唱ＧＶ２を加算して出力する第３の加算回路５１４と、第１のマイクアンプ回路５０３１の出力信号と第２のマイクアンプ回路５０３２の出力信号とを加算する第４の加算回路５１７と、前記音声再生回路５０１が出力した第１の模範歌唱ＧＶ１と第２の模範歌唱ＧＶ２のいずれに音声信号が含まれるかを判定する音声検出回路５１８と、音声検出回路５１８の判定結果に基づいて第３の加算回路５１４の出力信号と第４の加算回路５１７の出力信号とを比較する採点回路を設けることにより、デュエットの曲でも一つの採点回路で利用者１と利用者２の両方の利用者の歌唱の歌唱力を採点することができる。
【００４１】
なお本実施の形態では、第１のマイクアンプ回路５０３１の出力信号と第２のマイクアンプ回路５０３２の出力信号を、第４の加算回路５１７が加算して採点回路５０８に出力しているが、音声検出回路５１８からの情報に基づいて第１のマイクアンプ回路５０３１の出力信号と第２のマイクアンプ回路５０３２の出力信号とを自動的に切り換えて採点回路５０８に出力するスイッチ回路を用いても良い。これにより歌っていない利用者の音声や雑音により採点回路５０８が誤動作することが防がれることとなる。
【００４２】
【発明の効果】
本発明は、音声再生回路から出力された第１の音声信号と第２の音声信号を切り換えて出力する切り換え回路と、音声再生回路から出力されたカラオケ信号と前記切り換え回路の一方の出力とを加算する加算回路を設けることにより、利用者が歌わない方の模範歌唱は音声再生回路から出力されたカラオケ信号と加算回路されてから出力されるので、１人でも模範歌唱を相手としてデュエットを楽しむことができ、さらに前記切り換え回路の他方の出力とマイクロフォンからの信号とを比較する採点回路を設けることにより、利用者が歌う方の模範歌唱は採点回路に出力されるので、利用者の歌唱の歌唱力を採点することができるという効果を得ることができる優れたカラオケ装置を実現できるものである。
【図面の簡単な説明】
【図１】本発明の第１の実施の形態におけるカラオケ装置の構成図
【図２】本発明の第２の実施の形態におけるカラオケ装置の構成図
【図３】本発明の第３の実施の形態におけるカラオケ装置の構成図
【図４】本発明の第４の実施の形態におけるカラオケ装置の構成図
【図５】本発明の第５の実施の形態におけるカラオケ装置の構成図
【図６】従来例におけるカラオケ装置の構成図
【符号の説明】
１０１、２０１、３０１、４０１、５０１  音声再生回路
１０４、２０４、３０４、４０４、５０４  第２の加算回路
１０６、４０６  切り換え回路
１０７、２０７、３０７、４０７  第１の加算回路
１０８、５０８  採点回路
１０９、４０９、５０９  表示回路
１１０、４１０  第３のスイッチ回路
２１２、３１２  比較回路
２１３、３１３  レベル調整回路
４１４、５１４  第３の加算回路
４１５  映像再生回路
５１７  第４の加算回路
５１８  音声検出回路
【図１】
0003620212.tif 000002
【図２】
0003620212.tif 000003
【図３】
0003620212.tif 000004
【図４】
0003620212.tif 000005
【図５】
0003620212.tif 000006
【図６】
0003620212.tif 000007